(57)【要約】【課題】選択波長のスペクトル幅が広がること、及び選択された波長がシフトすること、を抑制することが可能となる波長選択フィルタを提供する。【解決手段】光を伝搬させる光導波路内に光の伝搬方向に沿って屈折率分布を生じさせることで、前記光導波路内を伝搬する光から特定波長の光を選択する波長選択フィルタであって、  前記屈折率分布は、前記光導波路内を伝搬する弾性波によって生ずるものであり、該弾性波を定在波として生起させる。【選択図】            図１
2014134644.tif 000002
【特許請求の範囲】
【請求項１】
光を伝搬させる光導波路内に光の伝搬方向に沿って屈折率分布を生じさせることで、前記光導波路内を伝搬する光から特定波長の光を選択する波長選択フィルタであって、
前記屈折率分布は、前記光導波路内を伝搬する弾性波によって生ずるものであり、
該弾性波を定在波として生起させることを特徴とする波長選択フィルタ。
【請求項２】
前記弾性波は、前記光導波路に取り付けられた第１の素子と第２の素子により発生されることを特徴とする請求項１に記載の波長選択フィルタ。
【請求項３】
前記選択される特定波長の光における波長は、前記弾性波の周波数を変えることによって、可変可能に構成されていることを特徴とする請求項１に記載の波長選択フィルタ。
【請求項４】
前記選択される特定波長の光における波長は、前記第１の素子と前記第２の素子との素子間の長さと前記弾性波の周波数を変えることによって、可変可能に構成されていることを特徴とする請求項２に記載の波長選択フィルタ。
【請求項５】
前記選択される特定波長の光における波長は、前記光導波路を伝搬する弾性波の速度と前記弾性波の周波数を変えることによって、可変可能に構成されていることを特徴とする請求項１に記載の波長選択フィルタ。
【請求項６】
前記光導波路を伝搬する弾性波の速度は、前記光導波路を伸縮させることによって変えることが可能に構成されていることを特徴とする請求項５に記載の波長選択フィルタ。
【請求項７】
前記光導波路を伝搬する弾性波の速度は、前記光導波路の温度変化によって変えることが可能に構成されていることを特徴とする請求項５に記載の波長選択フィルタ。
【請求項８】
前記選択される特定波長の光における波長は、前記光導波路の屈折率と前記弾性波の周波数を変えることによって、可変可能に構成されていることを特徴とする請求項１に記載の波長選択フィルタ。
【請求項９】
前記光導波路の屈折率は、前記光導波路を伸縮させることによって変えることが可能に構成されていることを特徴とする請求項８に記載の波長選択フィルタ。
【請求項１０】
前記光導波路の屈折率は、前記光導波路の温度変化によって変えることが可能に構成されていることを特徴とする請求項８に記載の波長選択フィルタ。
【請求項１１】
前記光導波路の屈折率は、電界あるいは磁界によって変えることが可能に構成されていることを特徴とする請求項８に記載の波長選択フィルタ。
【請求項１２】
前記第１の素子と前記第２の素子のうち、いずれか一方が前記弾性波を反射する素子で構成されていることを特徴とする請求項２に記載の波長選択フィルタ。
【請求項１３】
前記第１の素子と前記第２の素子を含む弾性波を発生させる複数の素子が、前記光導波路に取り付けられており、
前記複数の振動子が個別あるいは同時に制御されることによって、前記光導波路内に発現する屈折率分布が制御可能に構成されていることを特徴とする請求項２に記載の波長選択フィルタ。
【請求項１４】
請求項１乃至１３のいずれか１項に記載の波長選択フィルタから反射された光の一部と
、前記波長選択フィルタを透過した光の一部とを干渉させて、干渉信号を光検出器で検出し、
前記干渉信号の振幅のレベルが０に最も近くなるように、前記光導波路の屈折率分布を制御することを特徴とする波長選択フィルタ。
【発明の詳細な説明】
【技術分野】
【０００１】
本発明は、屈折率分布を有する光導波路による波長選択フィルタ（波長可変フィルタ）に関する。
【背景技術】
【０００２】
光通信分野や光を用いた計測分野において、光のスペクトル情報が利用されている。
そのような技術において、光の波長によって光を取出す波長選択フィルタが利用されている。
波長選択フィルタは、広いスペクトル帯域において高速に動作し、狭い波長幅を選択する特性が求められる。
一般的な波長選択フィルタは、回折格子やプリズムなどを利用して光を波長毎に空間に分解し選択するものである。
しかし、空間的に分解し選択するフィルタは、フィルタに入力するビーム径によって選択されるスペクトルの幅が決定され、狭い波長幅を選択することが困難であった。
また、ファブリーペローフィルタのような波長選択フィルタもあるが、ファブリーペローフィルタの反射率によって選択されるスペクトル幅が決定されるため、高い反射率が必要とされ、作成が困難であった。
また、選択波長はファブリーペローフィルタの厚さで決まる高精度にフィルタの厚さを制御する必要があり、高精度な波長選択が困難であった。
【０００３】
一方、ファイバブラッググレーティングと呼ばれる、光ファイバ導波路に光の伝搬方向に沿って屈折率分布を有し、その屈折率分布の周期によって波長を選択可能なスペクトルフィルタがある。
ファイバブラッググレーティングでは、長さを長くすることで選択波長を狭線幅化でき、選択波長の反射率を高くすることができる。
このようなフィルタとして、特許文献１では光ファイバを伝搬する弾性波によって屈折率分布を制御することで、高速な波長選択動作を行うフィルタが提案されている。
【先行技術文献】
【特許文献】
【０００４】
【特許文献１】特公昭６３−４３７２７号公報
【発明の概要】
【発明が解決しようとする課題】
【０００５】
しかしながら、上記従来例の特許文献１のよな弾性波による波長選択フィルタでは、つぎのような課題を有している。
弾性波が移動することによって、ファイバブラッググレーティングを伝搬する光からみると、屈折率分布間隔が一定ではなく見えてしまい、選択波長のスペクトル幅が広がってしまうという課題を有している。
また、ドップラーシフトが生じることによって、選択された波長がシフトしてしまうという課題を有している。
【０００６】
本発明は、上記課題に鑑み、選択波長のスペクトル幅が広がること、及び選択された波長がシフトすること、を抑制することが可能となる波長選択フィルタを提供することを目的とするものである。
【課題を解決するための手段】
【０００７】
本発明の波長選択フィルタは、光を伝搬させる光導波路内に光の伝搬方向に沿って屈折率分布を生じさせることで、前記光導波路内を伝搬する光から特定波長の光を選択する波長選択フィルタであって、
前記屈折率分布は、前記光導波路内を伝搬する弾性波によって生ずるものであり、
該弾性波を定在波として生起させることを特徴とする。
【発明の効果】
【０００８】
本発明によれば、選択波長のスペクトル幅が広がること、及び選択された波長がシフトすること、を抑制することが可能となる波長選択フィルタを実現することができる。
【図面の簡単な説明】
【０００９】
【図１】本発明の実施形態における波長選択フィルタの構成例について説明する模式図。
【図２】本発明の実施形態におけるドップラーシフトの一例について説明する模式図。
【図３】本発明の実施例１における整数ｋと振動周波数ｆＴの関係を示す図。
【図４】本発明の実施例４における波長選択フィルタの構成例について説明する模式図。
【図５】本発明の実施例５における波長選択フィルタの構成例について説明する模式図。
【図６】本発明の実施例６における波長選択フィルタの構成例について説明する模式図。
【図７】本発明の実施例９における波長選択フィルタ内に弾性波が定在している状態を検出する構成例について説明する模式図。
【発明を実施するための形態】
【００１０】
本発明の実施形態における波長選択フィルタ（波長可変フィルタ）の構成例について、図１を用いて説明する。
本実施形態の波長選択フィルタは、光を伝搬させる光導波路を備え、該光導波路内に屈折率分布を生じさせ、該光導波路内を伝搬する光から特定波長の光が選択可能に構成されている。
具体的には、図１に示されるように、光を導波し、かつ弾性波が伝搬する光導波部１０１と、前記光導波部１０１を挟むように取り付けられた弾性波を発生させる素子（第１の素子）１０２と素子（第２の素子）１０３を備える。
前記弾性波を発生させる素子１０２と１０３から発生された弾性波は、光導波路に定在波を生じさせる。
【００１１】
つぎに、本実施形態の波長選択フィルタにおける波長選択の原理について説明する。
屈折率分布周期が固定されている場合の反射波長λＢ（１０５）は、実効屈折率ｎｅｆｆと屈折率分布の周期Λを用いて、次の式（１）で表される。
2014134644.tif 000003
【００１２】
ここで、実効屈折率ｎｅｆｆは光導波部の物質の屈折率ｎと屈折率増加量Δｎを用いて、次の式（２）で定義される。
2014134644.tif 000004
【００１３】
また、反射波長における反射率ＲＢと反射波長幅Δλは、屈折率分布周期が続く長さＬと屈折率増加量Δｎを用いて、次の式（３）及び式（４）で表される。
2014134644.tif 000005
【００１４】
2014134644.tif 000006
【００１５】
ここで、ηは伝搬エネルギーの内、屈折率分布の影響を受けるエネルギーの割合である。
式（３）及び式（４）より、長さＬが大きければ、選択波長の光の反射率を高め、選択されるスペクトル幅を狭くすることが可能であることが分かる。
反射波長λＢ＝１μｍに対して、選択されたスペクトル線幅が１ｎｍ以下となるためには、屈折率増加量Δｎが１０−４以下であって、長さＬが１ｍｍ以上あれば良いことが式（３）及び（４）から求められる。
【００１６】
つぎに、屈折率分布Λを制御して波長選択する弾性波の周波数について説明する。
物質中の弾性波の伝搬速度ＶＳは、体積弾性率Ｋ［Ｐａ＝Ｎ／ｍ２＝ｋｇ・ｍ／ｓ２／ｍ２］と媒質の密度ｄ［ｋｇ／ｍ３］を用いて、次の式（５）で表される。
2014134644.tif 000007
【００１７】
そして、弾性波の周波数ｆＴと光導波部１０１中の弾性波の間隔（＝屈折率分布の周期Λ）の関係は、弾性波の伝搬速度ＶＳを用いて、次の式（６）で表される。したがって、弾性波の周波数ｆＴを変化させることで、屈折率分布の周期Λが変化し、選択され特定波長における光の波長を可変可能とすることができる。
2014134644.tif 000008
【００１８】
つぎに、定在波の条件について説明する。
前記弾性波を発生させる素子１０２と１０３の間隔をｌとする時、定在波を生じる条件は、次の式（７）で表される。
2014134644.tif 000009
【００１９】
したがって、波長選択フィルタとしての動作は、弾性波の周波数を変化させ、かつ、素子１０２と１０３の間隔ｌを変化させる、あるいは屈折率を変化させて屈折率分布の周期Λを変化させるなどを行うことで実現される。
以上が、本発明による波長選択フィルタ（波長可変フィルタ）の原理である。
【００２０】
つぎに、ドップラーシフトの影響とドップラーシフト検出手段について説明する。
図２を用いて、ドップラーシフトの検出について説明する。
図２（ａ）は波長選択フィルタに入射する光スペクトル、（ｂ）は波長選択フィルタを透過する光スペクトル、（ｃ）はドップラーシフトを受けていない反射光スペクトル、（ｄ）はドップラーシフトを受けた反射光スペクトルをそれぞれ模式的に示す。
まず、ドップラーシフトについて説明する。
上述のように、弾性波は伝搬速度ＶＳで移動しているため、反射される光はドップラーシフトによって光の波長が変化する。
ドップラーシフトの大きさを光周波数Δν（２０７）で表すと、次の式（８）のように表される。
2014134644.tif 000010
【００２１】
ここで、νＢは反射波長λＢを光周波数で表したもの（２０３）、ＣＯは光速、ｎは屈折率をそれぞれ示す。
波長選択フィルタに入射した光の反射光スペクトルをＥＲ（ν）、透過光スペクトルをＥＴ（ν）とし、前記反射光と透過光からそれぞれ一部を取出して、光路長差Δｌとして干渉させ、差動検出した信号ＩＳは、次の式（９）で表される。
2014134644.tif 000011
【００２２】
簡単のために光路長差Δｌ＝０とすると、干渉信号の強度は、反射光スペクトルＥＲ（ν）と透過光スペクトルＥＴ（ν）との積の積分に比例することが分かる。図２（ｄ）のように、ドップラーシフトを受けている場合には、次の式（１０）で表される。
2014134644.tif 000012
【００２３】
一方、図２（ｃ）のようにドップラーシフトを受けていない場合には、次の式（１１）で表される。
2014134644.tif 000013
【００２４】
したがって、光導波路中の弾性波が定在波となっている場合には、ドップラーシフトが起きないため、差動検出された干渉信号は０に近づく。
この差動検出信号をモニタリングしながら弾性波の周波数と、素子１０２と１０３の間隔ｌあるいは弾性波の伝搬速度あるいは光導波路の屈折率を制御可能に構成することで、定在波の状態を維持して波長可変フィルタとして動作させることが可能となる。
【実施例】
【００２５】
以下に、本発明の実施例について説明する。
［実施例１］
実施例１として、バルク状の光導波路に振動素子を取り付けた構成例について、図１を用いて説明する。
本実施例において、光導波部１０１は光を透過する物質を用いる。例えば、ガラスやプラスチック、音響光学材料、光学結晶を用いる。
以下、ガラスを用いた場合について説明する。
前記光導波部１０１を挟むように振動子１０２及び１０３を取り付ける。振動子１０２及び１０３は、光導波路の射出端、入射端、あるいは側面に取り付ける。また、振動子１０２及び１０３は、ピエゾ素子によるトランスデューサやＳＡＷデバイスなどである。以下、２．５ＧＨｚまで発振可能なＳＡＷデバイスを用いた場合について説明する。
そして、前記振動子１０２及び１０３から発せられた弾性波は前記光導波部１０１中に対向して伝搬し、定在した弾性波を生成する。この時、弾性波の伝搬方向は伝搬する光の光軸に対して平行でも良いし傾いていても良い。
以下では弾性波の伝搬方向は光導波路を伝搬する光と平行である場合について説明する。波長帯域８００〜８８０ｎｍの帯域で波長可変フィルタとして動作させるための式（１）における整数ｋと振動周波数ｆＴの関係を図３に示す。
ここでガラスを伝搬する弾性波の速度を４１００［ｍ／ｓ］、ガラスの有効屈折率を１．４５とした。前記ＳＡＷデバイスは２．５ＧＨｚまでであるため、８００〜８８０ｎｍで単一波長を取出すためには、ｋ＝６〜１０でなければならない。
【００２６】
つぎに、定在波の条件について説明する。
ｋ＝６とすると、波長４８００〜５２８０ｎｍを反射する波長フィルタとなる。この時屈折率分布の周期Λ＝１．６５５２μｍ〜１．８２０６９μｍとなる。
また、前記振動子１０２と１０３の間の距離を１０［ｍｍ］とすると、定在波の条件は式（７）より、ｍ＝１０９８４〜１２０８４となり、１１００色の波長を可変できる波長可変フィルタとなる。
そして、弾性波の強さによって屈折率変化１０−４程度の屈折率変化を生起し、１０ｍｍの素子長であるので、選択波長のスペクトル線幅は０．１ｎｍ以下となり、反射率は１に近い値を示す。
また、光導波路を伝搬する弾性波の伝搬方向と光の伝搬方向の間の角度を変化させることによっても、選択される波長を可変できる波長可変フィルタとなる。
以上の本実施例のように、光を導波する物質に弾性波を定在させると、ドップラーシフトが起きない波長選択フィルタが構成できる。
【００２７】
［実施例２］
実施例２として、実施例１では光導波部がガラスであったのを、光ファイバとした構成例について説明する。
本実施例の構成によれば、光ファイバ導波路とすることで、光の閉じ込め効率が良くなり、フィルタ全体の損失を改善することができる。
また、空間に光を出さないため、安定な波長選択フィルタとなる。
【００２８】
［実施例３］
実施例３として、振動素子の一方を弾性波を反射する素子とした構成例について説明する。
本実施例では、実施例１及び実施例２における振動子１０２あるいは１０３のどちらか一方を、弾性波を反射する素子に置き換え、振動子から発せられる弾性波と反射された弾性波によって定在した弾性波を生成する。
前記弾性波を反射する素子は、光導波部１０１の端面を固定する。ここでは、光導波部とは別に固定されたガラスを用いた。
本実施例の構成によれば、振動子が一つとなり、簡単な構成となりコストを下げることができる。
【００２９】
［実施例４］
実施例４として、実施例１〜３における振動素子間の長さを変えることにより、波長可変性に連続性を持たせるようにした構成例について説明する。
本実施例では、図４に示すように、実施例１〜３における光導波部１０１に取り付けられた振動子を移動し、振動子間の長さを変化させる素子４０１を取り付ける。
具体的には、一軸ステージや、ＰＺＴ素子である。ここでは、ＰＺＴ素子を用いた。
実施例１で述べたように、波長帯域８００〜８８０ｎｍの帯域で波長可変フィルタとして動作させるために、定在波の条件は式（７）より、ｍ＝１０９８４〜１２０８４となり、１１００色の波長を可変できる波長可変フィルタとなる。１１００色に限らず、連続的に波長可変フィルタと動作させることを振動子間の長さを変化させることで実現する。
これは、点在波の条件を示す式（７）より、ｍ＝（ｉ＋１）（ｉは整数）で生起される屈折率分布の周期Λがｍ＝ｉで生起される屈折率分布の周期Λと一致するように振動子間の長さを変化させることで成される。
そして、最も長さの変化量が必要な場合は、最も長波長を選択する場合であり、ｍ＝ｉ＝１０９８４である。
ここでは、ｌ＝１０ｍｍであるので、ｍ＝１０９８４より、Λ＝１．８２μｍである。したがって、１．８２μｍまで振動子間の長さを変化させ、それに伴って式（６）に基づいて振動子の周波数を変化させることによって、連続的な波長選択フィルタとして動作する。
本実施例の構成によれば、連続的な波長可変性を持たせることが可能となる。またＰＺＴを用いることで高速な波長可変が可能となる。
【００３０】
［実施例５］
実施例５として、実施例１〜３のものにおいて光導波部の長さを変えることで、波長可変性に連続性を持たせるようにした構成例について説明する。
本実施例では、図５に示すように、光導波部の長さを変えることで光導波路を伝搬する弾性波の速度と振動子間の長さを変化させる素子５０１を取り付ける。
具体的には、一軸ステージや、ＰＺＴ素子を用いる。ここでは、ＰＺＴ素子を用い、光導波路を伸縮させることによって、光導波部の長さを変えるように構成した。
連続波長可変の原理は、実施例４と同様である。
本実施例の構成によれば、連続的な波長可変性を持たせることが可能となる。またＰＺＴを用いることで高速な波長可変が可能となる。
【００３１】
［実施例６］
実施例６として、実施例１〜３のものにおいて光導波物質に温調コントローラを付随させるようにした構成例について説明する。
本実施例では、図６に示すように、光導波部１０１の温度を制御する機構６０１を取り付ける。
物質は、一般的に温度変化によって屈折率が変化する。そのため、式（１）より、温度によって選択される中心波長が変化する。
また、一般的に温度変化によって体積弾性率Ｋも変化する。したがって、式（５）で示された弾性波の伝搬速度ＶＳも温度に依存して変化する。
そして、式（６）より、屈折率分布の周期Λも温度に依存して変化することとなる。そのため、光導波物質の温度と弾性周波数を制御することで、波長を連続的に選択する波長選択フィルタとして動作する。
本実施例の構成によれば、波長が連続的に選択される波長選択フィルタを実現することができる。
また、温度分布を付けることでフィルタ内の屈折率分布が導波路中で異なり、広帯域光のスペクトル内の波長毎の位相を制御するチャープＦＢＧ動作を実現することができる。
【００３２】
［実施例７］
実施例７として、実施例１〜３のものにおいて光導波物質に電圧印加素子を付随させるようにした構成例について説明する。
本実施例では、実施例１〜３のものに、光導波部１０１を電気光学結晶で構成された光導波路とし、光導波部１０１に電界をかける素子を取り付ける。
ここでは、電気光学結晶としてリチウムナイオベート（ＬｉＮｂＯ3）を用いる。
電気光学結晶は、印加する電界によって屈折率が変化するため、式（１）で示すように、選択される中心波長を変化させることが可能となる。
ＬｉＮｂＯ3結晶は、屈折率は中心波長８４０ｎｍでおよそ２．１７である。
また、ＬｉＮｂＯ3結晶の厚さを１０μｍ程度とすると、１ｋＶの電圧を印加した時屈折
率は０．０１５程度変化する。
【００３３】
波長帯域８００ｎｍ〜８８０ｎｍで動作する波長選択フィルタの条件は、屈折率２．１７よりｋ＝９でｍ＝１０９５９〜１２０５６である。
式（１）を用いて、ｍ＝１０９５９とｍ＝１０９６０の場合の選択される波長が８８０ｎｍと等しくなるように屈折率を求めると、その差は０．０００２であった。
したがって、１５Ｖの間で印加電圧を制御し、弾性波周波数を制御することで波長が連続的に選択される波長選択フィルタとなる。
本実施例の構成によれば、波長が連続的に選択される波長選択フィルタを実現することができる。
また、電界が場所によって異なるようにすることでフィルタ内の屈折率分布が導波路中で異なり、広帯域光のスペクトル内の波長毎の位相を制御するチャープＦＢＧ動作を実現することができる。
なお、本実施例では電界による例について説明したが、磁界によって光導波路の屈折率を変えるようにしてもよい。
【００３４】
［実施例８］
実施例８では、実施例１〜７のものにおいて、前記光導波部に複数の振動子を取り付け、前記複数の振動子を個別あるいは同時に制御して、光導波路内に発現する屈折率分布を制御可能とした。あるいは弾性波を反射する素子を取り付けた。
本実施例の構成によれば、振動子間の長さが短くなり、振動子で発生させた弾性波が隣接する振動子の位置まで伝搬する時間が短くなるため、振動子の振動数を変更してから前記光導波路に所望の定在波が立つまでの時間が短くなる。これにより高速な波長選択フィルタ動作が可能となる。
また、フィルタの長さを長くできるため、反射率を高め、選択された波長のスペクトル幅を狭くすることが可能となる。
【００３５】
［実施例９］
実施例９では、波長選択フィルタ内に弾性波が定在している状態を検出する構成例について、図７を用いて説明する。
入力光はまず、波長選択フィルタへ入射し反射された光を取出す素子７０１を通って、波長選択フィルタ７０２へと導波する。
前記素子７０１は、光を分岐する素子である光ファイバカプラやビームスプリッタでも良いし、光の入射方向によって分岐方向が異なる光ファイバサーキュレータや、偏波ビームスプリッタと波長板やファラデーローテータと組み合わせた光学システムでも良い。ここ
では、光ファイバサーキュレータを用いた。
前記入力光は、前記光ファイバサーキュレータ７０１のポート１へ入力されポート２を通って、波長選択フィルタ７０２へ向かう。
そして、選択された波長は反射し、光ファイバサーキュレータ７０１のポート２から伝搬して、ポート３から出力されて光の一部を取出す素子７０４へ向かう。素子７０４によって波長選択フィルタ７０２によって選択された光の一部が取出される。
【００３６】
一方、波長選択フィルタ７０２によって選択されなかった光は波長選択フィルタ７０２を透過し、光の一部を取出す素子７０３へと伝搬し、一部が取出される。
光の一部を取出す素子７０３及び７０４はハーフミラーや偏波ビームスプリッタと波長板を組み合わせた光学システムでも良い。ここでは光ファイバカプラとした。
光ファイバカプラ７０４を介して取出された波長選択フィルタ７０２によって選択された光の一部と、光ファイバカプラ７０３を介して取出された選択されなかった光の一部は光ファイバカプラ７０５へ向かう。
そして、光ファイバカプラ７０５において重ね合わされ干渉し、光差動検出器７０６によって検出される。
干渉信号が観測されるように、「波長選択フィルタ７０２〜光ファイバサーキュレータ７０１〜光ファイバカプラ７０４〜光ファイバカプラ７０５」間の光路長と、
「波長選択フィルタ７０２〜光ファイバカプラ７０３〜光ファイバカプラ７０５」間の光路長とが、ほぼ一致するように調整される。
また、光ファイバ偏波コントローラを挿入し、干渉する二つの光の偏光状態が一致するように調整されることが望ましい。
【００３７】
光導波路がガラスであるとし、ガラスを伝搬する弾性波の速度を４１００［ｍ／ｓ］、ガラスの有効屈折率を１．４５とした。
選択波長を８４０ｎｍとすると、定在波が生起されていない場合、式（８）よりドップラーシフトを受けた波長は０．０３３ｎｍだけシフトした波長となる。
一方、式（１１）で示したように、光導波路中の弾性波が定在波となっている場合には、ドップラーシフトが起きないため、光検出器で差動検出された干渉信号の振幅のレベルは０に近づく。
この差動検出信号が０となるようにモニタリングしながら、弾性波の周波数と、素子１０２と１０３の間隔ｌあるいは弾性波の伝搬速度あるいは光導波路の屈折率を制御することで、定在波の状態を維持して波長可変フィルタとして動作させることが可能となる。
本実施例の構成によれば、弾性波が定在波となっていることをモニタリングしながら制御することで、ドップラーシフトの起きない波長選択フィルタを実現できる。
【符号の説明】
【００３８】
１０１：光導波部
１０２：弾性波を発する素子（振動子）
１０３：弾性波を発する素子（振動子）
１０４：入射光
１０５：選択された光
１０６：選択されなかった光
【図１】
2014134644.tif 000014
【図２】
2014134644.tif 000015
【図３】
2014134644.tif 000016
【図４】
2014134644.tif 000017
【図５】
2014134644.tif 000018
【図６】
2014134644.tif 000019
【図７】
2014134644.tif 000020